【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
放送データストリームの第１の部分を、タイムシフトデータファイルとして格納するステップと、
前記放送データストリームの第２の部分を、記録データファイルとして格納するステップと、
前記放送データストリームの前記第１の部分と前記放送データストリームの前記第２の部分とを識別するメタファイルを作成するステップであって、前記メタファイルは、リーダがアクセスして、前記放送データストリームの前記第１の部分と前記放送データストリームの前記第２の部分とを、連続的に検索可能なステップと
を備えたことを特徴とするコンテンツを格納するための方法。
【請求項２】
前記放送データストリームの前記第１の部分および前記放送データストリームの前記第２の部分は、ハードディスクドライブ上に格納されることを特徴とする請求項１に記載の方法。
【請求項３】
前記放送データストリームの前記第１の部分および前記放送データストリームの前記第２の部分は、テレビ放送の一部であることを特徴とする請求項１に記載の方法。
【請求項４】
前記放送データストリームの前記第１の部分および前記放送データストリームの前記第２の部分は、ＩＰマルチキャストの一部であることを特徴とする請求項１に記載の方法。
【請求項５】
前記メタファイルにアクセスすることによって連続的なデータのストリームを検索するステップをさらに備え、前記連続的なデータのストリームは、前記放送データストリームの前記第１の部分と前記放送データストリームの前記第２の部分とを含むことを特徴とする請求項１に記載の方法。
【請求項６】
前記放送データストリームの前記第１の部分および前記放送データストリームの前記第２の部分は、放送の連続部分であることを特徴とする請求項１に記載の方法。
【請求項７】
前記放送データストリームの前記第１の部分を、所定の期間の後に削除するステップをさらに備えたことを特徴とする請求項１に記載の方法。
【請求項８】
前記放送データストリームの第２の部分を、記録データファイルとして格納するステップは、記録オペレーションに応答して実行されることを特徴とする請求項１に記載の方法。
【請求項９】
請求項１に記載の方法を実行するためのプロセッサによって実行可能であるコンピュータプログラムを含むことを特徴とする１つまたは複数のコンピュータ読み取り可能なメモリ。
【請求項１０】
放送番組の一部をタイムシフトデータとして格納するステップと、
前記タイムシフトデータを検索し表示するステップと、
前記放送番組を、前記タイムシフトデータの一部が格納された後、記録データとして記録する要求を受信するステップと、
前記放送番組を記録するステップと
を備えたことを特徴とするコンテンツを格納するための方法。
【請求項１１】
前記放送番組を記録するステップは、前記タイムシフトデータに関連付けられた前記放送番組の前記一部を記録するステップを含むことを特徴とする請求項１０に記載の方法。
【請求項１２】
前記放送番組を記録するステップは、前記放送番組に関連付けられた前記タイムシフトデータを、記録データに変換するステップを含むことを特徴とする請求項１０に記載の方法。
【請求項１３】
前記放送番組を記録するステップは、前記放送番組に関連付けられた前記タイムシフトデータが記録データであることを指示するように、メタファイルを変更するステップを含むことを特徴とする請求項１０に記載の方法。
【請求項１４】
前記放送番組を記録するステップは、前記記録データに関連付けられたメタファイルを作成するステップを含むことを特徴とする請求項１０に記載の方法。
【請求項１５】
前記放送番組の一部をタイムシフトデータとして格納するステップは、前記タイムシフトデータに関連付けられたメタファイルを作成するステップを含むことを特徴とする請求項１０に記載の方法。
【請求項１６】
前記放送番組の残りを記録データとして記録するステップをさらに備えたことを特徴とする請求項１０に記載の方法。
【請求項１７】
請求項１０に記載の方法を実行するためのプロセッサによって実行可能であるコンピュータプログラムを含むことを特徴とする１つまたは複数のコンピュータ読み取り可能なメモリ。
【請求項１８】
放送番組を受信するステップと、
前記受信された放送番組を一時的に格納するステップと、
前記放送番組を永続的に記録する要求を受信するステップであって、記録されるべき前記放送番組の一部が受信され一時的に格納された後、前記要求が受信されるステップと、
前記放送番組の全体を永続的に記録するステップと
備えたことを特徴とするコンテンツを格納するための方法。
【請求項１９】
前記放送番組を永続的に記録するステップは、一時的に格納された前記放送番組の前記一部を、永続記憶フォーマットに変換するステップを含むことを特徴とする請求項１８に記載の方法。
【請求項２０】
前記放送番組を永続的に記録するステップは、すでにレンダリングされた前記放送番組の一部を記録するステップを含むことを特徴とする請求項１８に記載の方法。
【請求項２１】
前記放送番組はテレビ放送であることを特徴とする請求項１８に記載の方法。
【請求項２２】
前記放送番組はＩＰマルチキャストであることを特徴とする請求項１８に記載の方法。
【請求項２３】
請求項１８に記載の方法を実行するためのプロセッサによって実行可能であるコンピュータプログラムを含むことを特徴とする１つまたは複数のコンピュータ読み取り可能なメモリ。
【請求項２４】
放送データストリームをデータファイルに格納するステップであって、前記放送データストリームの少なくとも一部はタイムシフトデータとして格納されるステップと、
前記データファイルの第１の部分に関連付けられた第１のメタファイルを作成するステップと、
前記データファイルの第２の部分に関連付けられた第２のメタファイルを作成するステップであって、前記第１のメタファイルおよび前記第２のメタファイルは前記データファイルの共通部分を含むステップと
を備えたことを特徴とするコンテンツを格納するための方法。
【請求項２５】
前記放送データストリームの一部は永続記録データとして格納されることを特徴とする請求項２４に記載の方法。
【請求項２６】
前記放送データストリームの一部は永続記録データとして格納され、前記データファイルの前記第１の部分は、タイムシフトデータおよび永続記録データの両方に関連付けられることを特徴とする請求項２４に記載の方法。
【請求項２７】
請求項２４に記載の方法を実行するためのプロセッサによって実行可能であるコンピュータプログラムを含むことを特徴とする１つまたは複数のコンピュータ読み取り可能なメモリ。
【請求項２８】
放送データストリームを受信するステップと、
前記受信された放送データストリームを永続的に記録するステップと、
前記放送データストリームの前記記録を一時停止する要求を受信するステップと、
前記放送データストリームの前記記録された部分を識別するメタファイルを作成するステップと
を備えたことを特徴とするコンテンツを格納するための方法。
【請求項２９】
前記メタファイルは、前記放送データストリームの前記記録を一時停止する前記要求がアクティブであった間に、受信された前記放送データストリームの前記部分を識別することを特徴とする請求項２８に記載の方法。
【請求項３０】
前記メタファイルにアクセスすることによって連続的なデータのストリームを検索するステップをさらに備え、前記連続的なデータのストリームは、前記放送データストリームを一時停止する前記要求がアクティブであった間に、受信された前記放送データストリームの前記部分を除去することを特徴とする請求項２８に記載の方法。
【請求項３１】
請求項２８に記載の方法を実行するためのプロセッサによって実行可能であるコンピュータプログラムを含むことを特徴とする１つまたは複数のコンピュータ読み取り可能なメモリ。
【請求項３２】
放送データストリームを受信するステップと、
前記放送データストリームの第１の部分を複数のタイムシフトデータファイルに格納するステップと、
前記放送データストリームの第２の部分を記録データファイルに格納するステップと
を備え、前記タイムシフトデータファイルおよび前記記録データファイルは、リーダがアクセスして、前記放送データストリームの前記第１の部分と前記放送データストリームの前記第２の部分とを、連続的に検索可能であることを特徴とするコンテンツを格納するための方法。
【請求項３３】
前記放送データストリームの前記第１の部分および前記放送データストリームの前記第２の部分は、ハードディスクドライブ上に格納されることを特徴とする請求項３２に記載の方法。
【請求項３４】
前記放送データストリームの前記第１の部分および前記放送データストリームの前記第２の部分は、テレビ放送の一部であることを特徴とする請求項３２に記載の方法。
【請求項３５】
前記放送データストリームの前記第１の部分および前記放送データストリームの前記第２の部分は、ＩＰマルチキャストの一部であることを特徴とする請求項３２に記載の方法。
【請求項３６】
前記放送データストリームの前記第１の部分および前記放送データストリームの前記第２の部分は、放送の連続部分であることを特徴とする請求項３２に記載の方法。
【請求項３７】
前記放送データストリームの前記第１の部分を、所定の期間の後に削除するステップをさらに備えたことを特徴とする請求項３２に記載の方法。
【請求項３８】
前記放送データストリームの前記第２の部分を記録データファイルとして格納するステップは、記録オペレーションに応答して実行されることを特徴とする請求項３２に記載の方法。
【請求項３９】
請求項３２に記載の方法を実行するためのプロセッサによって実行可能であるコンピュータプログラムを含むことを特徴とする１つまたは複数のコンピュータ読み取り可能なメモリ。
【請求項４０】
放送データストリームを受信するステップと、
前記放送データストリームの第１の部分を複数のタイムシフトデータファイルに格納するステップと、
前記放送データストリームの第２の部分を、少なくとも１つの記録データファイルに格納するステップと
を備え、前記タイムシフトデータファイルおよび前記記録データファイルは、リーダがアクセスして、すべてのタイムシフトデータファイルおよび前記記録データファイルに渡って、シーク可能であることを特徴とするコンテンツを格納するための方法。
【請求項４１】
前記放送データストリームの前記第１の部分および前記放送データストリームの前記第２の部分は、ハードディスクドライブ上に格納されることを特徴とする請求項４０に記載の方法。
【請求項４２】
前記放送データストリームの前記第１の部分および前記放送データストリームの前記第２の部分は、放送の連続部分であることを特徴とする請求項４０に記載の方法。
【請求項４３】
前記放送データストリームの前記第１の部分を、所定の期間の後に削除するステップをさらに備えたことを特徴とする請求項４０に記載の方法。
【請求項４４】
前記放送データストリームの前記第２の部分を記録データファイルとして格納するステップは、記録オペレーションに応答して実行されることを特徴とする請求項４０に記載の方法。
【請求項４５】
請求項４０に記載の方法を実行するためのプロセッサによって実行可能であるコンピュータプログラムを含むことを特徴とする１つまたは複数のコンピュータ読み取り可能なメモリ。
【請求項４６】
コンピュータプログラムを格納した１つまたは複数のコンピュータ読み取り可能な媒体であって、前記コンピュータプログラムは、１つまたは複数のプロセッサによって実行される場合に、
放送番組を受信するステップと、
前記受信された放送番組を一時データフォーマットに格納するステップと、
前記放送番組を永続的に記録する要求を受信するステップであって、前記放送番組の一部が受信され前記一時データフォーマットに格納された後、前記要求が受信されるステップと、
前記放送番組を永続的に記録するステップと
を前記１つまたは複数のプロセッサに実行させることを特徴とする１つまたは複数のコンピュータ読み取り可能な媒体。
【請求項４７】
前記放送番組は、前記一時データフォーマットに格納されたデータを永続データフォーマットに変換することによって、永続的に記録されることを特徴とする請求項４６に記載の１つまたは複数のコンピュータ読み取り可能な媒体。
【請求項４８】
前記１つまたは複数のプロセッサは、前記放送番組の様々な部分を識別するメタファイルを作成することを特徴とする請求項４６に記載の１つまたは複数のコンピュータ読み取り可能な媒体。